(57)【特許請求の範囲】
【請求項１】
開閉扉を備える収納室と、該収納室に収納され内部に気体を導入することにより膨張し、それ自体の前面にスクリーンを形成する袋体と、該袋体の後部に設けられ該スクリーンに画像を投影する画像投影手段と、該袋体に気体を供給する気体供給手段とを備える画像表示装置であって、
使用時に該収納室の開閉扉を開くことにより該気体供給手段から該袋体に気体が導入されることを特徴とする画像表示装置。
【請求項２】
前記袋体は膨張したときに前記スクリーンが略平面状に形成されることを特徴とする請求項１記載の画像表示装置。
【発明の詳細な説明】
【０００１】
【発明の属する技術分野】
本発明は、歩行者が携帯する携帯電話等に備えられる画像表示装置に関するものである。
【０００２】
【従来の技術】
従来、歩行者による携帯や移動が容易な小型または薄型の画像表示装置として液晶表示装置、プラズマ表示装置等が知られており、このような画像表示装置は携帯電話等の筐体内に備えられて機能等の諸表示を行うようになっている。しかし、前記携帯や移動が容易な画像表示装置は、装置の大きさが携帯電話等の筐体自体の大きさによって規制されるために、表示する画像の大きさに制限がある。そこで、前記携帯や移動が容易であって、画像を拡大して表示することができる画像表示装置の開発が望まれる。
【０００３】
一方、画像を拡大して表示する画像表示装置として、従来、映写機等のようにプロジェクターから投射される光線をフィルム等の画像を介してスクリーンに投影するようにしたものが知られている。しかしながら、このような画像表示装置にあっては、使用時にスクリーンを展開し、さらに前記画像を適正に投影できるように前記プロジェクターからの距離を調整しなければならないので、前記携帯や移動が容易な画像表示装置に適用することが難しいとの不都合がある。
【０００４】
【発明が解決しようとする課題】
本発明は、かかる不都合を解消して、携帯や移動が容易で、使用時には容易に展開することができ、適正な画像を得ることができるスクリーンを備える画像表示装置を提供することを目的とする。
【０００５】
【課題を解決するための手段】
かかる目的を達成するために、本発明の画像表示装置は、開閉扉を備える収納室と、該収納室に収納され内部に気体を導入することにより膨張し、それ自体の前面にスクリーンを形成する袋体と、該袋体の後部に設けられ該スクリーンに画像を投影する画像投影手段と、該袋体に気体を供給する気体供給手段とを備える画像表示装置であって、使用時に該収納室の開閉扉を開くことにより該気体供給手段から該袋体に気体が導入されることを特徴とする。
【０００６】
本発明の画像表示装置では、袋体の内部に気体を導入して膨張させることにより前記袋体自体の前面にスクリーンが形成される。従って、使用時に前記気体供給手段から前記袋体の内部に気体を導入して膨張させると、前記袋体の後部に設けられている前記画像投影手段により投影された画像が前記スクリーンに表示される。
【０００７】
本発明の画像表示装置によれば、前記袋体の前面をスクリーンとするので、未使用時には前記袋体を折り畳むことにより、前記収納室内にコンパクトに収容しておくことができ、しかも使用時に前記収納室の開閉扉を開くことにより前記袋体の内部に気体が導入されることから、容易かつ速やかにスクリーンを展開することができる。しかも、前記スクリーンは前記袋体の前面に形成されるので、前記画像投影手段から該スクリーンまでの距離が該袋体の大きさにより規制され、特に調整を必要とすることなく自動的に設定することができる。
【０００８】
本発明の画像表示装置において、前記袋体は膨張したときに前記スクリーンが略平面状に形成されることを特徴とする。前記スクリーンが略平面状に形成されるようにしておくことにより、前記画像投影手段から該スクリーン上に画像を投影したときに、歪みのない正確な画像を得ることができる。
【０００９】
【発明の実施の形態】
次に、添付の図面を参照しながら本発明の実施の形態についてさらに詳しく説明する。図１は本実施形態の画像表示装置を示す断面図、図２は本実施形態の画像表示装置の使用方法を示す斜視図である。
【００１０】
本実施形態の画像表示装置は、歩行者が携帯する携帯電話に用いられるものであって、図１示のように、携帯電話の本体１に袋体２が収納される収納室３を設け、収納室３の前面に備えられた開閉扉４を開けたときに、袋体２の内部に気体が導入され、膨張した袋体２の前面にスクリーン５が形成されるようになっている。前記本体１には、袋体２の後部に収納室３の隔壁６によって仕切られる装置室７が設けられ、該装置室７にプロジェクターとしてのランプ８と液晶表示手段９と隔壁６に嵌着されたレンズ１０とからなる画像投影手段１１が設けられている。また、装置室７内には、袋体２に気体を供給する気体供給手段としての圧縮ガスボンベ１２が備えられ、圧縮ガスボンベ１２に接続された導管１３が隔壁６を貫通して袋体２内に開口している。
【００１１】
前記導管１３には圧縮ガスボンベ１２側にバルブ１４が設けられ、その下流側に圧力弁１５が設けられている。前記バルブ１４は開閉扉４を開けたときに、図示しない操作機構により開弁され、袋体２に所定量の気体を供給すると共に、供給後は前記操作機構により閉弁される。また、圧力弁１５は袋体２に所定の圧力がかかると開弁し、袋体２内の気体が圧力弁１５を介して外部に放出されるようになっている。
【００１２】
袋体２は膨張したときに、略四角錐台形となる形状を備え、該四角錐台形の底面２ａに望んで略平面状のスクリーン部材１６を備えている。スクリーン部材１６は袋体２が膨張したときにその膨張を規制して、液晶表示手段９の前面の隔壁６に嵌着されたレンズ１０からスクリーン部材１６までの距離が一定になるようにする。また、袋体２はスクリーン部材１６の前面に位置する底面２ａが透明な材料で構成されていると共に、側面２ｂは遮光性材料、例えば黒色の材料により形成され、スクリーン部材１６の背部からの外乱光の入射を防止できるようになっている。
【００１３】
本実施形態の画像表示装置は、未使用時には図２（ａ）示の様に収納室３の開閉扉４が閉じられて収納室３内に折り畳まれた袋体２が収納されており、使用時に開閉扉４を開くと図１示のバルブ１４が図示しない操作機構により開弁され、圧縮ガスボンベ１２から導管１３を介して袋体２内に気体が供給され始める。袋体２は、内部に気体が導入されることにより、図２（ｂ）示の様に膨張を開始し、図２（ｃ）示の様に略四角錐台形状になって膨張を終了する。尚、袋体２の膨張が終了すると、バルブ１４は前記操作機構により閉弁される。
【００１４】
そして、図示しないスイッチをオンにすると、図示しない駆動装置により液晶表示手段９が駆動されると共にランプ８が発光し、該ランプ８の光線が液晶表示手段９に投射され、液晶表示手段９の画像がレンズ１０を介してスクリーン部材１６に投影される。この結果、スクリーン部材１６上に所定の画像を表示することができる。
【００１５】
本実施形態の画像表示装置は、使用後、袋体２を手で圧縮すると、圧力弁１５に圧がかかり、圧力弁１５が開弁されて袋体２内の気体が圧力弁１５から外部に放出される。この結果、袋体２を折り畳み、元通り収納室３内に収納することができる。
【００１６】
尚、本実施形態では、前記袋体２に圧縮ガスボンベ１２から気体を供給して膨張させるようにしているが、袋体２に吹き込み口を設け、使用者が呼気を吹き込んで膨張させるようにしてもよい。また、本実施形態では、前記画像表示装置を歩行者が携帯するものとして示しているが、例えば自動車に積載されて、カー・ナビゲーション・システムの表示装置等として使用するようにしてもよい。本発明の画像表示装置を自動車に積載するときには、前記圧縮ガスボンベ１２をコンプレッサーに替え、該コンプレッサーを自動車の電源により駆動するようにしてもよい。
【図面の簡単な説明】
【図１】本発明に係る画像表示装置を示す断面図。
【図２】本発明に係る画像表示装置の使用方法を示す斜視図。
【符号の説明】
２…袋体、  ５…スクリーン、  １１…画像投影手段、  １２…気体供給手段、  １６…スクリーン部材。
【図１】
0003681502.tif 000002
【図２】
0003681502.tif 000003